【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
ある環境内で移動可能な移動プラットフォームの第１および第２の姿勢推定（５０２、６０２）を受け取るように構成される変換モジュール（４０２）であって、前記第１および第２の姿勢推定（５０２、６０２）は、異なる、それぞれの第１および第２の座標系での前記環境の異なる、それぞれの第１および第２のデジタルマップ（５００、６００）に対するものであり、前記変換モジュール（４０２）は、前記第１および第２の姿勢推定（５０２、６０２）に基づき、前記第１および第２のデジタルマップ（５００、６００）の間の幾何学変換を計算するように構成される、変換モジュール（４０２）と、
前記幾何学変換に基づき、前記第１および第２のデジタルマップ（５００、６００）を位置合わせし、それによって位置合わせされたデジタルマップを生成するように構成される、位置合わせモジュール（４０６）と、
前記位置合わせされたデジタルマップに対して前記移動プラットフォームを位置決めし、それによって前記移動プラットフォームの位置合わせされた姿勢推定を計算するように構成される、位置合わせされた位置決めモジュール（４０８）とを含む、システム（１００）。
【請求項２】
前記変換モジュール（４０２）は、前記移動プラットフォーム上に搭載されたマッピングおよび位置決めシステム（１０８）から前記第１の姿勢推定（５０２）を受け取るように構成され、
前記マッピングおよび位置決めシステム（１０８）は、前記環境の前記第１のデジタルマップ（５００）を構築し、そして前記第１のデジタルマップ（５００）に対して前記移動プラットフォームの前記第１の姿勢推定（５０２）を計算するように構成される、請求項１に記載のシステム（１００）。
【請求項３】
前記位置合わせモジュール（４０６）は、前記第１のデジタルマップ（５００）を、前記マッピングおよび位置決めシステム（１０８）から受け取るように構成される、請求項２に記載のシステム（１００）。
【請求項４】
前記変換モジュール（４０２）は、同時に位置決めしてマッピングする技術によって前記第１のデジタルマップ（５００）を構築し、そして前記第１の姿勢推定を計算するように構成される前記マッピングおよび位置決めシステム（１０８）から、前記第１の姿勢推定（５０２）を受け取るように構成される、請求項２に記載のシステム（１００）。
【請求項５】
前記変換モジュール（４０２）は、ストレージ（３１２）からアクセス可能な前記第２のデジタルマップ（６００）に対して前記移動プラットフォーム（１０２）の前記第２の姿勢推定（６０２）を計算するように構成される無線位置突きとめシステム（１１０）から、前記第２の姿勢推定（６０２）を受け取るように構成される、請求項１に記載のシステム（１００）。
【請求項６】
前記変換モジュール（４０２）は、屋内または局所的な位置付けシステムを含む前記無線位置突きとめシステム（１１０）から、前記第２の姿勢推定（６０２）を受け取るように構成される、請求項５に記載のシステム（１００）。
【請求項７】
前記移動プラットフォーム（１０２）が前記環境内で移動するとき、前記移動プラットフォームの誘導（１０６）に役立たせるために、前記位置合わせされた姿勢推定を前記移動プラットフォーム（１０２）に伝えるように構成される通信インターフェース（２１０）をさらに含む、請求項１に記載のシステム（１００）。
【請求項８】
プロセッサおよびコンピュータ可読プログラムコード部分を格納するメモリを含む装置であって、
前記コンピュータ可読プログラムコード部分は、前記プロセッサによって実行されると、それに応答して、前記装置が、少なくとも：
ある環境内で移動可能な移動プラットフォーム（１０２）の第１および第２の姿勢推定（５０２、６０２）を受け取る、なお前記第１および第２の姿勢推定（５０２、６０２）は、異なる、それぞれの第１および第２の座標系での前記環境の異なる、それぞれの第１および第２のデジタルマップ（５００、６００）に対するものである；
前記第１および第２の姿勢推定（５０２、６０２）に基づき、前記第１および第２のデジタルマップ（５００、６００）の間の幾何学変換を計算する；
前記幾何学変換に基づき、前記第１および第２のデジタルマップ（５００、６００）を位置合わせし、それによって位置合わせされたデジタルマップを生成する；および
前記位置合わせされたデジタルマップに対して前記移動プラットフォーム（１０２）を位置決めし、それによって前記移動プラットフォーム（１０２）の位置合わせされた姿勢推定を計算する、装置。
【請求項９】
前記移動プラットフォーム（１０２）が前記環境内で移動するとき、前記移動プラットフォームの誘導（１０６）に役立たせるために、前記位置合わせされた姿勢推定を前記移動プラットフォーム（１０２）に伝えるように構成される通信インターフェース（２１０）をさらに含む、請求項８に記載の装置。
【請求項１０】
ある環境内で移動可能な移動プラットフォーム（１０２）の第１および第２の姿勢推定（５０２、６０２）を受け取ることであって、前記第１および第２の姿勢推定（５０２、６０２）は、異なる、それぞれの第１および第２の座標系での前記環境の異なる、それぞれの第１および第２のデジタルマップ（５００、６００）に対するものであることと、
前記第１および第２の姿勢推定（５０２、６０２）に基づき、前記第１および第２のデジタルマップ（５００、６００）の間の幾何学変換を計算することと、
前記幾何学変換に基づき、前記第１および第２のデジタルマップ（５００、６００）を位置合わせし、それによって位置合わせされたデジタルマップを生成することと、
前記位置合わせされたデジタルマップに対して前記移動プラットフォーム（１０２）を位置決めし、それによって前記移動プラットフォーム（１０２）の位置合わせされた姿勢推定を計算することと、を含む、方法。
【請求項１１】
請求項１に記載のシステムであって、前記第１及び第２のデジタルマップは前記環境の同じ空間をカバーし、前記第1及び第２の姿勢推定は前記環境の同じ空間内にある、前記移動プラットフォームの同じ位置及び方向付けの相違した記述であるシステム。
【請求項１２】
請求項１のシステムであり、さらに
マッピング及び位置決めシステムであって前記環境の前記第1のデジタルマップを構築して、前記第1のデジタルマップに対する前記移動プラットフォームの前記第1の姿勢推定を計算するように構成され、前記第1のデジタルマップは、前記環境内の実在の障害物を記述する、マッピング及び位置決めシステムと、
無線位置突きとめシステム（WLS）位置決めモジュールであって、トランスミッタを制御して、前記移動プラットフォームから受信する信号を放送し、前記移動プラットフォームからの対応する自動応答（transponding）信号を受信して、前記移動プラットフォームの前記第２のデジタルマップに対する前記第２の姿勢推定を計算するように構成され、前記第２のデジタルマップは、目的地、走行レーン、または立ち入り禁止ゾーンの１つまたは複数を記述する、無線位置突きとめシステム（WLS）位置決めモジュールと
前記位置合わせされた姿勢推定を前記移動プラットフォームへ通信し、前記移動プラットフォームが前記環境内を動くときに前記移動プラットフォームの誘導を支援するように構成された、通信インターフェースとをさらに備えたシステム。
【請求項１３】
請求項８に記載の装置であって、前記第１及び第２のデジタルマップは前記環境の同じ空間をカバーし、前記第1及び第２の姿勢推定は前記環境の同じ空間内にある、前記移動プラットフォームの同じ位置及び方向付けの相違した記述である、装置。
【請求項１４】
請求項１０に記載の方法であって、前記第１及び第２のデジタルマップは前記環境の同じ空間をカバーし、前記第1及び第２の姿勢推定は前記環境の同じ空間内にある、前記移動プラットフォームの同じ位置及び方向付けの相違した記述である、方法。
【請求項１５】
請求項１０に記載の方法であって、
前記環境の第１のデジタルマップをマッピング及び位置決めシステムを利用して構築し、前記移動プラットフォームの前記第１のデジタルマップに対する前記第１の姿勢推定を計算し、前記第１のデジタルマップは前記環境中の実在の障害物を記述することと、
無線位置突き止めシステムを経由して、前記移動プラットフォームによって受信される信号を放送し、前記移動プラットフォームからの対応する自動応答（transponding）信号を受信して、前記第２のデジタルマップに対する前記移動プラットフォームの前記第２の姿勢推定を計算し、前記第２のデジタルマップは目的地、走行レーンまたは立ち入り禁止ゾーンの１つまたは複数を記述することとをさらに含む、方法。
【手続補正２】
【補正対象書類名】明細書
【補正対象項目名】００６１
【補正方法】変更
【補正の内容】
【００６１】
本明細書に述べた本開示の多くの修正および他の実施態様は、これらの開示が、前述の記述および付随する図面で提示した教示の恩恵を受けるのにふさわしい当業者に、思い浮かぶはずである。したがって、本開示は、開示した具体的な実施態様に限定すべきでなく、修正および他の実施態様は、添付の請求項の範囲内に含まれると意図することを理解すべきである。さらに、前述の記述および付随の図面によって、要素および／または機能のある実施例の組み合わせとの関連で実施例を述べているが、添付の請求項の範囲から逸脱せずに、代替えの実施態様よって、要素および／または機能の異なる組み合わせを設けることができることを認識すべきである。この点で、たとえば、上記に明白に述べたものと異なる、要素および／または機能の組み合わせは、また、添付の請求項のあるものによって述べられていることがあると予期される。具体的な用語を本明細書に用いているが、それらは、一般的で記述的な意味だけで使用しており、限定する目的のためではない。
また、本願は以下に記載する態様を含む。
（態様１）
ある環境内で移動可能な移動車両の第１および第２の姿勢推定（５０２、６０２）を受け取るように構成される変換モジュール（４０２）であって、前記第１および第２の姿勢推定（５０２、６０２）は、異なる、それぞれの第１および第２の座標系での前記環境の異なる、それぞれの第１および第２のデジタルマップ（５００、６００）に対するものであり、前記変換モジュール（４０２）は、前記第１および第２の姿勢推定（５０２、６０２）に基づき、前記第１および第２のデジタルマップ（５００、６００）の間の幾何学変換を計算するように構成される、変換モジュール（４０２）と、
前記幾何学変換に基づき、前記第１および第２のデジタルマップ（５００、６００）を位置合わせし、それによって位置合わせされたデジタルマップを生成するように構成される、位置合わせモジュール（４０６）と、
前記位置合わせされたデジタルマップに対して前記移動車両を位置決めし、それによって前記移動車両の位置合わせされた姿勢推定を計算するように構成され、そしてさらに、前記移動車両の誘導に役立たせるように、前記位置合わせされた姿勢推定を前記移動車両に伝えるように構成される、位置合わせされた位置決めモジュール（４０８）とを含む、システム（１００）。
（態様２）
前記変換モジュール（４０２）は、前記移動車両上に搭載されたマッピングおよび位置決めシステム（１０８）から前記第１の姿勢推定（５０２）を受け取るように構成され、
前記マッピングおよび位置決めシステム（１０８）は、前記環境の前記第１のデジタルマップ（５００）を構築し、そして前記第１のデジタルマップ（５００）に対して前記移動車両の前記第１の姿勢推定（５０２）を計算するように構成される、態様１に記載のシステム（１００）。
（態様３）
前記位置合わせモジュール（４０６）は、前記第１のデジタルマップ（５００）を、前記マッピングおよび位置決めシステム（１０８）から受け取るように構成される、態様２に記載のシステム（１００）。
（態様４）
前記変換モジュール（４０２）は、同時に位置決めしてマッピングする技術によって前記第１のデジタルマップ（５００）を構築し、そして前記第１の姿勢推定を計算するように構成される前記マッピングおよび位置決めシステム（１０８）から、前記第１の姿勢推定（５０２）を受け取るように構成される、態様２に記載のシステム（１００）。
（態様５）
前記変換モジュール（４０２）は、ストレージ（３１２）からアクセス可能な前記第２のデジタルマップ（６００）に対して前記移動車両（１０２）の前記第２の姿勢推定（６０２）を計算するように構成される無線位置突きとめシステム（１１０）から、前記第２の姿勢推定（６０２）を受け取るように構成される、態様１に記載のシステム（１００）。
（態様６）
前記変換モジュール（４０２）は、屋内または局所的な位置付けシステムを含む前記無線位置突きとめシステム（１１０）から、前記第２の姿勢推定（６０２）を受け取るように構成される、態様５に記載のシステム（１００）。
（態様７）
前記移動車両（１０２）が前記環境内で移動するとき、前記移動車両の誘導（１０６）に役立たせるために、前記位置合わせされた姿勢推定を前記移動車両（１０２）に伝えるように構成される通信インターフェース（２１０）をさらに含む、態様１に記載のシステム（１００）。
（態様８）
プロセッサおよびコンピュータ可読プログラムコード部分を格納するメモリを含む装置をさらに含み、
前記コンピュータ可読プログラムコード部分は、前記プロセッサによって実行されると、それに応答して、前記変換モジュール、前記位置合わせモジュールおよび前記位置合わせされた位置決めモジュールが、少なくとも：
ある環境内で移動可能な移動車両（１０２）の第１および第２の姿勢推定（５０２、６０２）を受け取る、なお前記第１および第２の姿勢推定（５０２、６０２）は、異なる、それぞれの第１および第２の座標系での前記環境の異なる、それぞれの第１および第２のデジタルマップ（５００、６００）に対するものである；
前記第１および第２の姿勢推定（５０２、６０２）に基づき、前記第１および第２のデジタルマップ（５００、６００）の間の幾何学変換を計算する；
前記幾何学変換に基づき、前記第１および第２のデジタルマップ（５００、６００）を位置合わせし、それによって位置合わせされたデジタルマップを生成する；および
前記位置合わせされたデジタルマップに対して前記移動車両（１０２）を位置決めし、それによって前記移動車両（１０２）の位置合わせされた姿勢推定を計算する、態様１に記載のシステム。
（態様９）
前記移動車両（１０２）が前記環境内で移動するとき、前記移動車両の誘導（１０６）に役立たせるために、前記位置合わせされた姿勢推定を前記移動車両（１０２）に伝えるように構成される通信インターフェース（２１０）をさらに含む、態様８に記載のシステム。
（態様１０）
ある環境内で移動可能な移動車両（１０２）の第１および第２の姿勢推定（５０２、６０２）を受け取ることであって、前記第１および第２の姿勢推定（５０２、６０２）は、異なる、それぞれの第１および第２の座標系での前記環境の異なる、それぞれの第１および第２のデジタルマップ（５００、６００）に対するものであることと、
前記第１および第２の姿勢推定（５０２、６０２）に基づき、前記第１および第２のデジタルマップ（５００、６００）の間の幾何学変換を計算することと、
前記幾何学変換に基づき、前記第１および第２のデジタルマップ（５００、６００）を位置合わせし、それによって位置合わせされたデジタルマップを生成することと、
前記位置合わせされたデジタルマップに対して前記移動車両（１０２）を位置決めし、それによって前記移動車両（１０２）の位置合わせされた姿勢推定を計算することと、
前記移動車両の誘導に役立たせるために、前記位置合わせされた姿勢推定を前記移動車両に伝えることとを含む、方法。